(57)【要約】    【課題】一人でも持ち運びができ、当然サイズ調節も可能であり、なおかつ、組み立てるときにも特別な器具や道具を必要としないような、標識用パネル及びその組立方法を提供する。    【解決手段】複数枚の小パネル（１０ａ〜１０ｊ）を上下又は左右の一方向に組み合わせて構成する標識用パネル（１０）である。前記小パネルは上下又は左右端部に一対の接続部（１２，１３）を有し、前記各接続部は突起部（１２１〜１２３；１３１〜１３４）又は溝部（１２９，１３８，１３９）を有する。これら突起部又は溝部を嵌合させることにより前記各小パネルを連結させる。各接続部にはそれぞれ突起部又は溝部を２〜４個設け、嵌合箇所を複数個とするのが好ましい。全体パネルは外枠（１４）で覆うのが好ましい。全体パネルは裏面から補強材（１１）で補強するのが好ましい。【選択図】図４
2006052627.tif 000002
【特許請求の範囲】
【請求項１】
複数枚の小パネル（１０ａ〜１０ｊ）を上下又は左右の一方向に組み合わせて構成する標識用パネルであって、
前記小パネルは上下又は左右端部に一対の接続部（１２，１３）を有し、
前記各接続部は突起部（１２１〜１２３；１３１〜１３４）又は溝部（１２９，１３８，１３９）を有し、
これら突起部又は溝部を嵌合させることにより前記各小パネルを連結させたことを特徴とする標識用パネル（１０）。
【請求項２】
各接続部にはそれぞれ突起部（１２１〜１２３；１３１〜１３４）又は溝部（１２９，１３８，１３９）を２〜４個設け、嵌合箇所を複数個とした請求項１記載の標識用パネル。
【請求項３】
前記小パネルが、さらに長手方向に伸びる断面Ｃ字型の溝（１６）を有する請求項１又は２記載の標識用パネル（１０ｋ）。
【請求項４】
全体パネル（１０）を外枠（１４）で囲んだ請求項１ないし３のいずれかに記載の標識用パネル。
【請求項５】
全体パネル（１０）の裏面から補強材（１１）で補強した請求項１ないし４のいずれかに記載の標識用パネル。
【請求項６】
補強材（１１）が、断面Ｔ字型部材、Ｌ字型部材及びＨ字型部材のいずれかを固定手段で取り付けたものである請求項５記載の標識パネル。
【請求項７】
複数枚の小パネル（１０ａ〜１０ｊ）を上下又は左右の一方向に組み合わせて構成する標識用パネルの組立方法であって、
上下又は左右端部に一対の接続部（１２，１３）を有する複数枚の小パネルを用意する工程と、
前記各接続部が有する突起部（１２１〜１２３；１３１〜１３４）又は溝部（１２９，１３８，１３９）を嵌合させることにより前記各小パネルを連結させる工程と、
全体パネル（１０）の裏面から補強材（１１）で補強する工程と
を有することを特徴とする標識用パネルの組立方法。
【請求項８】
請求項３記載の小パネル（１０ｋ）を少なくとも２つ使用して全体パネル（１００）を構成し、補強部材（１１１）の下部（１１１ａ）と全体パネル（１００）とを押さえ金具（１７）で押さえる方法であって、前記押さえ金具（１７）はボルト孔を有し、この孔にボルト（１８）を挿通させ、前記小パネル（１０ｋ）のＣ字型溝の上壁（１６ａ）をボルト頭部（１８ａ）とボルトナット（１８ｂ）により締め付けることにより固定する請求項７記載の組立方法。
【請求項９】
さらに、全体パネル（１０）を外枠（１４）で覆う工程を有する請求項７又は８記載の組立方法。
【発明の詳細な説明】
【技術分野】
【０００１】
本発明は、標識用パネル及びその組立方法に関する。標識用パネルとしては、小パネルを複数枚組み合わせて構成する比較的に大きなもの（例えば屋外看板、交通標識、等）が対象となることが多いが、サイズは発明の要素ではない。
【背景技術】
【０００２】
小パネルを複数枚組み合わせて構成する標識用パネルに関する従来技術として、例えば、現場で溶接によりつなぎ合わせる方法がある。
【０００３】
また、同一寸法の複数枚の単位ボードを一方向に隣り合わせて、屏風畳み形式の折り畳みが可能なように相互に連結する技術も知られている（下記特許文献１参照）。連結用の金具は「連結用のシート部材」とだけ記載されていて、同文献の図面を見てもはっきりしないが、蝶番のようなものと想像される。
【特許文献１】特開平２−２６４２９３号
【発明の開示】
【発明が解決しようとする課題】
【０００４】
現場で溶接作業を行うのは、そのための設備が必要であると共に、熟練者が必要なため、コストダウンの障害となっている。
【０００５】
屏風畳み形式の標識パネルは、各パネルがすべて予め連結されていて、普通の方法では、個別の小パネルに分割することはできない。そのため作業員が手で運ぶときには、一人では持ち運びが不可能な場合が多い。また、各パネルがすべて連結されていて、普通の方法では部分的に取り外すことができないため、全体のサイズ調節も困難である。
【０００６】
本発明は、個別の小パネルは予め連結されていないので、一人でも持ち運びができ、当然サイズ調節も可能であり、なおかつ、組み立てるときにも特別な器具や道具を必要としないような、標識用パネル及びその組立方法を提供することを目的とする。
【課題を解決するための手段】
【０００７】
本発明の標識用パネルは、複数枚の小パネルを上下又は左右の一方向に組み合わせて構成する標識用パネルであって、前記小パネルは上下又は左右端部に一対の接続部を有し、前記各接続部は突起部又は溝部を有し、これら突起部又は溝部を嵌合させることにより前記各小パネルを連結させたことを特徴とする。
【０００８】
本発明の標識用パネルの組立方法は、上下又は左右端部に一対の接続部を有する複数枚の小パネルを上下又は左右の一方向に組み合わせて構成する標識用パネルの組立方法であって、上下又は左右端部に一対の接続部を有する複数枚の小パネルを用意する工程と、前記各接続部が有する突起部又は溝部を嵌合させることにより前記各小パネルを連結させる工程と、全体パネルの裏面から補強材で補強する工程とを有することを特徴とする。
【発明の効果】
【０００９】
本発明によれば、複数枚の小パネルを使用するので、現場で一人でも持ち運びができ、枚数を調節することにより、サイズ調節も可能である。また、組立には接続部同士を嵌合させるだけであるから、時間もかからず、特別な器具や道具を必要としない。作業には熟練を必要としないので、大幅なコストダウンを実現することができる。
【発明を実施するための最良の形態】
【００１０】
小パネルを組み合わせる方向は一方向であるが、目的とする全体の標識パネルの形状やサイズに応じて、上下方向であってよいし、左右方向であってもよい。
【００１１】
前記小パネルは上下又は左右端部に一対の接続部を有する。各接続部は突起部又は溝部を有する。強度を高めるため、各接続部にはそれぞれ突起部又は溝部を２〜４個設け、嵌合箇所を複数個（たとえば２〜３個）とするのが好ましい。
【００１２】
全体パネルの最上部に位置する上部接続部および最下部に位置する下部接続部が露出しないように、外枠で囲むのが好ましい。
【００１３】
各接続部を利用した小パネルの連結だけでは、強度に不安があるときには、パネルの裏面から補強材で補強することが好ましい。補強材としては、たとえば、断面Ｔ字型部材、Ｌ字型部材及びＨ字型部材のいずれかを固定部材（ビス、ねじ、リベット、ボルトなど）で取り付けるのが好ましい。
【００１４】
補強部材と全体パネルを組み合わせる別法として、長手方向に断面Ｃ字型の溝を設けた小パネルを少なくとも２つ使用して全体パネルを構成し、補強部材の下部と全体パネルとを押さえ金具で押さえることもできる。押さえ金具はボルト孔を有し、この孔にボルトを挿通させ、第２パネルのＣ字型溝の上壁をボルト頭部とボルトナットにより締め付けることにより固定する。これにより、補強部材に多数の穴開けやその数だけのビス止めをする必要がなくなり、作業効率が向上する。また、補強部材の固定は、補強部材の下部を押さえる押さえ金具と断面Ｃ字溝に取り付けられるボルトによるので、補強部材の設定位置は自由に決められる。
【実施例１】
【００１５】
以下、添付の図面に基づき、本発明の一実施例を説明する。
【００１６】
図１は、交通標識１として、本発明の標識用パネル１０を使用している状態の正面図である。
【００１７】
図２は、標識用パネル１０の正面図（ａ）、背面図（ｂ）、側面図（ｃ）である。正面図、背面図において実線で区切られているのは個々の小パネル１０ａ，１０ｂ，１０ｃ，  ．．．，１０ｊである。この標識は１０枚の小パネルを縦方向に繋いでいることが分かる。正面図（ａ）に示すパネルを図１のような交通標識として用いるときには、当然、印刷されたシート（図示せず）で表面を覆うので、小パネル同士の境目は正面からは見えなくなる。ただし、境目が見えても構わないときには、小パネルの上に直接印刷してもよい。
【００１８】
背面図（ｂ）に示すように、この標識用パネル１０の背後にはＴ字型の補強材１１が設けられている。
【００１９】
図３は、Ｔ字型の補強材１１の拡大図である。（ａ）は背面図、（ｂ）は縦断面図、（ｃ）は横断面図である。
【００２０】
これらの図に示すように、補強材のＴ字水平部分１１ａは、ビス、リベット、ボルト、ねじ１１ｂ、などにより、標識用パネル１０に強固に連結されている。補強材のＴ字垂直部分１１ｃは強度を高めるためのものである。
【００２１】
本発明の特徴は、各小パネル同士の接続方法にある。図４の断面図に示すように、各小パネル１０（ａ〜ｊ）は、二重壁構造になっており、縦方向につながっていけるように上下先端に接続部分１２（ａ，ｂ，ｃ．．．），１３（ａ，ｂ，ｃ．．．）がある。すなわち、パネル１０ａの上側接続部分１２ａは、すぐ上に位置するパネル１０ｂの下側接続部分１３ｂと接続可能である。パネル１０ｊの下側接続部分１３ｊは、すぐ下に位置するパネル１０ｉの上側接続部分１２ｉと接続可能である。そのままでは、全体パネルの最上部１０ｊ及び最下部１０ａにおいて、上側接続部１２ｊ又は下側接続部１３ａが露出することになるが、双方共に断面コ字型の外枠１４によってカバーされるので、露出することはない。
【００２２】
上側接続部１２は、表面側パネルから数えて、第１突起１２１、第２突起１２２、第３突起１２３の３つの突起が立ち上がっている。第１突起１２１は表面側パネル１０１の延長であり、先端部において内側に湾曲している第１湾曲部１２４及び内側に伸びる爪部１２５を有する。第２突起１２２は、表面側パネル１０１と裏面側パネル１０２に接続した２本の脚部１２６，１２７を有し、全体の断面形状は漢字の「人」のようである。この漢字の第１画に当たる曲線が第２突起１２２を形成している。第３突起１２３は裏面側パネル１０２の延長であり、先端部において内側に湾曲した第２湾曲部１２８を有する。第２突起１２２と第２湾曲部１２８の間で深い第１溝１２９を形成している。
【００２３】
下側接続部１３は、表面側パネルから数えて、第４突起１３１、第５突起１３２、第６突起１３３、第７突起１３４の４つの突起が立ち上がっている。第４突起１３１は表面側パネル１０１の末端にある小さな突起である。第５突起１３２は、表面側パネル１０１と裏面側パネル１０２の間を連結する底面１３５からほぼ垂直に突出している。第６突起１３３は、底面１３５から湾曲しながら突出し、途中に第７突起側に向いた爪部１３６を有している。第７突起１３４は裏面側パネル１０２の末端にある小さな突起であり、先端は平坦面１３７となっている。第４突起１３１と第５突起１３２の間、第６突１３３起と第７突起１３４の間にそれぞれ第２溝１３８、第３溝１３９が形成されている。
【００２４】
上側接続部１２と下側接続部１３を接続するには、補強材１１をつけていない状態の個別パネルを複数枚用意する。続いて、図５に示すように、第２湾曲部１２８を第３溝１３９に差し込み、第３突起１３４と第２湾曲部１２８を接触させる。このとき、第２湾曲部１２８は爪部１３６とも接触する。ここを支点として矢印の方向に小パネル１０を回転させる（（ａ）参照）と、第６突起１３３が第１溝１２９に入る（（ｂ）参照）。第２突起１３２が爪部１２５と接触し、さらに下降を続ける。最終的に、第２溝１３８に第１湾曲部１２４が入って連結は完了する（（ｃ）参照）。
【００２５】
小パネルを複数枚組み合わせて全体パネル１０を形成した後で、補強材１１をビスなどにより固定し、最後に外枠１４を取り付けて全体パネルが完成する。
【実施例２】
【００２６】
図示しないが、接続部を小パネルの上下でなく、左右に設けて、左右方向に小パネルを連結させる。図２の標識パネルを９０度右又は左に回転させたようなものと理解することができる。
【実施例３】
【００２７】
図６，７は本発明の第３実施例であり、使用する小パネル及び補強部材に特徴を有する。
【００２８】
第１実施例では、使用する小パネルは１種類であったが、この第３実施例では２種類を使用する。そのうちの１つは実施例１で使用するものと同じ（例えば、図４参照）であり、これを「第１パネル」（１０ａ〜１０ｊ）と呼ぶ。もう一つは図６に断面を示したものであり、これを「第２パネル」（１０ｋ）と呼ぶ。第２パネル１０ｋが第１パネルと異なるのは、図６に示すように、パネルの中央に断面Ｃ字型の溝１６が長手方向に伸びていることである。
【００２９】
補強部材１１１は、第１実施例ではＴ字型であったが、この第３実施例では、図７に示すように、底部１１１ａ、垂直部１１１ｂ、上部１１１ｃからなるＨ字型である。市販のＨ鋼を使用するのが経済的かつ効率的である。
【００３０】
第１，第２パネルは、例えば図７（ａ）に示すように、上下方向に交互に並べる。Ｈ鋼１１１も上下方向に置き、Ｈ鋼の下部１１１ａと全体パネル１００とを押さえ金具１７で押さえる。押さえ金具１７はボルト孔を有し、この孔にボルト１８を挿通させ、第２パネルのＣ字型溝の上壁１６ａをボルト頭部１８ａとボルトナット１８ｂにより締め付け、固定する。
【００３１】
図示しない変形例として、補強部材は、Ｈ字型でなくてもＴ字型又はＬ字型でもよい。第１パネル１０ａ〜１０ｊ，第２パネル１０ｋの並べ方は交互でなくても、第２パネルを第１パネルに対して２つおき、３つおき、等に設定することが可能である。さらに、第１パネルを使用せずに、第２パネル１種類だけ使用することもできる。
【００３２】
第３実施例では、第１，第２実施例と異なり、補強部材や小パネルに対して多数の穴開けやその数だけのビス止めをする必要がなくなり、作業効率が向上する。また、補強部材の固定は、補強部材の下部を押さえる押さえ金具と断面Ｃ字溝に取り付けられるボルトによるので、補強部材の設定位置は自由に決められる。
【図面の簡単な説明】
【００３３】
【図１】交通標識として、本発明の標識用パネルを使用している状態の正面図である。
【図２】標識用パネルの正面図（ａ）、背面図（ｂ）、側面図（ｃ）である。
【図３】Ｔ字型の補強材の拡大図である。（ａ）は背面図、（ｂ）は縦断面図、（ｃ）は横断面図である。
【図４】標識パネルの荷担部の断面図である。
【図５】各パネルの接続方法を示す断面図である。
【図６】第２パネルの部分断面図である。
【図７】Ｈ字型の補強材の拡大図である。（ａ）は背面図、（ｂ）は縦断面図、（ｃ）は横断面図である。
【符号の説明】
【００３４】
１     交通標識
１０   全体パネル
１０ａ〜１０ｊ  小パネル
１０ｋ    断面Ｃ字型の溝を有する小パネル
１０１   表面側パネル
１０２   裏面側パネル
１１     補強材
１１１    Ｈ字型補強材
１２（ａ，ｂ，ｃ．．．）    上側接続部
１３（ａ，ｂ，ｃ．．．）    下側接続部
１４   外枠
１２１〜１２３；１３１〜１３４  突起部
１２９，１３８，１３９  溝部
１６   溝
１７    押さえ金具
【図１】
2006052627.tif 000003
【図２】
2006052627.tif 000004
【図３】
2006052627.tif 000005
【図４】
2006052627.tif 000006
【図５】
2006052627.tif 000007
【図６】
2006052627.tif 000008
【図７】
2006052627.tif 000009